(57)【特許請求の範囲】
【請求項１】
枠体内に障子を納めた建具において、
前記障子に設けられていてロッドを上下方向に進退させる錠機構と、
前記枠体の下枠に固定された前記ロッドの受け部と、
前記障子の閉鎖時に前記受け部に干渉しないように形成された逃げ部と、
を設け、
前記逃げ部は、前記障子の框体の一部に形成された切欠部であり、
前記受け部の上面は、前記切欠部の上面より低く、かつ、前記障子の最下面より高い位置に設定され、
前記框体における前記切欠部の屋外側には、該切欠部を覆う閉塞部が形成されていることを特徴とする建具。
【請求項２】
枠体内に障子を納めた建具において、
前記障子に設けられていてロッドを上下方向に進退させる錠機構と、
前記枠体の下枠に固定された前記ロッドの受け部と、
前記障子の閉鎖時に前記受け部に干渉しないように形成された逃げ部と、
を設け、
前記受け部は、
前記下枠に当接する基部と、
前記基部から上方に突出する板状の突出部と、を有し、
前記突出部には、前記ロッドの先端が係合および離脱可能な係合溝が形成され、
前記突出部の見込み方向の両側に、前記係合溝に連通する開口が形成されており、
前記受け部は、前記枠体における屋外側へ向かう下り傾斜面に取り付けられていることを特徴とする建具。
【請求項３】
前記障子における縦框の下端部に前記逃げ部が形成されている請求項１に記載された建具。
【請求項４】
前記障子の下框は屋内側から見て前記枠体の下枠に隠れる隠し框構造である請求項１から３のいずれか１項に記載された建具。
【請求項５】
前記受け部には、前記係合溝の内部に折り曲げて湾曲させた舌片が設けられている請求項１から４のいずれか１項に記載された建具。
【発明の詳細な説明】
【技術分野】
【０００１】
本発明は、グレモン錠等の錠機構を備えた建具に関する。
【背景技術】
【０００２】
従来、ドア等をロックするグレモン錠では、例えばグレモン錠のロッドを受けるグレモン受け部が上枠の下面と下枠の上面に設置されたものがある。この場合、ドア等は上枠と下枠との間にグレモン受け部を逃げる程度の隙間をそれぞれ備えていた。そのため、障子の開閉操作の際にグレモン受け部が干渉せず、ロック時には障子に設けたロッドを上下のグレモン受け部に挿入してロックしていた。
【０００３】
また、特許文献１に記載された建物の障子に取り付けたグレモン錠は、障子の戸先側の縦框内にグレモン錠本体を取り付け、ハンドルの回動操作でロッド棒を上下に進退させている。障子を納めた枠体の下枠と上枠にはロッド棒の先端を受けるロッド棒受けが埋め込まれ、障子の開閉操作の邪魔にならないようにしている。上下枠に埋設したロッド棒受けはロッド棒を挿入させる凹部がそれぞれ形成されている。
そして、ハンドルの一方の回転でロッド棒を上下に突出させてロッド棒受けに進出させてロックし、他方の回転でロッド棒の先端をロッド棒受けから抜き出してロックを解除している。また、ロッド棒受けの凹部を下枠に埋め込んでいるため、ロッド棒受けの凹部に雨水が溜まることがあった。
【先行技術文献】
【特許文献】
【０００４】
【特許文献１】特開２０１２−２４１３４８号公報
【発明の概要】
【発明が解決しようとする課題】
【０００５】
しかしながら、上述したドア等のグレモン錠の取り付け構造は、障子の下框を床面の下側に隠す隠し框構造であると、屋内の床面から下框までの距離を大きくとれない場合には下枠と障子の下框の間に十分な間隙がとれず、障子の開閉時に下框がグレモン受け部に干渉するという欠点があった。一方、下框を下枠より突出しないように幅を小さく設定するとガラスパネルの保持強度が低下する欠点が生じる。
また、特許文献１に記載のドアでは、下枠にロッド棒受けを埋め込んだために下框と下枠との間にロッド棒受けの隙間を設ける必要はないが、ロッド棒受けの凹部を埋め込むことは施工性が悪いという欠点があった。
【０００６】
本発明は、このような課題に鑑みてなされたものであって、ロッドの受け部を下枠に埋め込むことなく、障子の下框や縦框が受け部に干渉しないで開閉できるようにした建具を提供することを目的とする。
【課題を解決するための手段】
【０００７】
本発明による建具は、枠体内に障子を納めた建具において、障子に設けられていてロッドを上下方向に進退させる錠機構と、枠体の下枠に固定されたロッドの受け部と、障子の閉鎖時に受け部に干渉しないように形成された逃げ部と、を設け、前記逃げ部は、前記障子の框体の一部に形成された切欠部であり、前記受け部の上面は、前記切欠部の上面より低く、かつ、前記障子の最下面より高い位置に設定され、前記框体における前記切欠部の屋外側には、該切欠部を覆う閉塞部が形成されていることを特徴とする。
本発明によれば、枠体内に障子を閉鎖させると、下枠上の受け部に障子の逃げ部が干渉することなく枠体内に納められることができ、この状態で錠機構のロッドを上下動させるとロッドの先端が受け部に係合してロックできる。
本発明による建具は、枠体内に障子を納めた建具において、前記障子に設けられていてロッドを上下方向に進退させる錠機構と、前記枠体の下枠に固定された前記ロッドの受け部と、前記障子の閉鎖時に前記受け部に干渉しないように形成された逃げ部と、を設け、前記受け部は、前記下枠に当接する基部と、前記基部から上方に突出する板状の突出部と、を有し、前記突出部には、前記ロッドの先端が係合および離脱可能な係合溝が形成され、前記突出部の見込み方向の両側に、前記係合溝に連通する開口が形成されており、前記受け部は、前記枠体における屋外側へ向かう下り傾斜面に取り付けられていることを特徴とする。
本発明によれば、枠体内に障子を閉鎖させると、下枠上の受け部に障子の逃げ部が干渉することなく枠体内に納められることができ、この状態で錠機構のロッドを上下動させるとロッドの先端が受け部に係合してロックできる。また、下枠に固定した受け部のロッドを嵌合する係合部内に雨水等が溜まったとしても、係合溝に連通する開口を通して雨水等を下枠から屋外に排水することができる。
【０００８】
また、障子における縦框の下端部に逃げ部が形成されていてもよい。
縦框の下端部に逃げ部を設けたことで、下框とずれた位置に逃げ部を設けることができて下框の幅を確保して框体の強度を向上できる。
【０００９】
また、障子の下框は屋内側から見て枠体の下枠に隠れる隠し框構造であってもよい。
下框を隠し框構造にすることができる。
【００１０】
また、前記受け部には、前記係合溝の内部に折り曲げて湾曲させた舌片が設けられていてもよい。
【発明の効果】
【００１１】
本発明による建具では、錠機構の受け部を下枠に設けたため、枠体内に障子を閉鎖させると受け部に障子の逃げ部が干渉することなく枠体内に納めることができると共に、受け部を下枠に埋め込む必要がない。
【図面の簡単な説明】
【００１２】
【図１】本発明の実施形態によるドアの要部正面図である。
【図２】図１に示すドアの要部縦断面図である。
【図３】図１に示すドアの要部横断面図である。
【図４】図２に示す下枠に受け部を設けた構成の拡大断面図である。
【図５】図４に示す下框と下枠に設けた受け部とを示す要部拡大斜視図である。
【図６】図５に示す受け部のＡ−Ａ線断面図である。
【発明を実施するための形態】
【００１３】
以下、本発明の実施形態による建具の一例としてのドアについて添付図面により説明する。
図１はドア１の正面図であり、図２はその縦断面図、図３は横断面図である。図１及び図２に示すように本実施形態によるドア１は建物の躯体に形成された開口部に設置された枠体２と、枠体２内に納められていて開閉可能な扉部である障子３とを備えている。このドア１は例えば勝手口ドア等として用いられる例えばアルミ等の金属と合成樹脂からなるドアである。
ドア１の枠体２は、上枠５と下枠６と左右の縦枠７、８とで四角形枠状に形成されたアルミ製の枠体である。枠体２内の障子３は上框１０と下框１１と左右の縦框１２，１３とで四角形枠状に形成された框体１４を備えている。框体１４の内部には１または複数層のガラスパネル１５が納められている。
【００１４】
図２に示すドア１の縦断面図において、枠体２の上枠５と障子３の上框１０との間には障子３の開閉操作を補助するフリクションアーム９が取り付けられている。上枠５は屋外側に設けられた金属上枠５ａとその屋内側に設けられた樹脂上枠５ｂとで形成され、断面視略Ｌ字形状とされている。樹脂上枠５ｂは障子３の上框１０を隠すように垂下している。金属上枠５ａの屋外側を向く面にはパッキン１７ａが取り付けられている。
また、枠体２の下枠６は屋外側に設けられた金属下枠６ａと屋内側に設けられた樹脂下枠６ｂとで形成されている。金属下枠６ａの屋外側を向く面にはパッキン１７ｂが取り付けられている。
図３に示すドア１の横断面図において、枠体２の左右の縦枠７，８は屋外側に設けられた金属縦枠７ａ、８ａとその屋内側に設けられた樹脂縦枠７ｂ、８ｂとで形成されている。戸先側の金属縦枠８ａの屋外側を向く面にはパッキン１７ｃが取り付けられている。
【００１５】
図２に示すように、障子３の上框１０は屋外側の金属上框１０ａと屋内側の上押縁１０ｂとで形成され、下框１１は屋外側の金属下框１１ａと屋内側の下押縁１１ｂとで形成されている。また、図３において、左右の縦框１２，１３は屋外側の金属縦框１２ａ、１３ａと屋内側に設けた左右の縦押縁１２ｂ、１３ｂとでそれぞれ形成されている。
また、図３において、吊元側の金属縦枠７ａと金属縦框１２ａはヒンジ４で開閉可能に連結されている。障子３は枠体２内に納められた状態で、上框１０が上枠５のパッキン１７ａに当接し、下框１１が下枠６のパッキン１７ｂに当接し、戸先側の縦框１３が縦枠８のパッキン１７ｃに当接して封止されている。
【００１６】
下框１１に設けたガラスパネル１５の受け溝１１ｃは断面略Ｕ字状に形成され、ガラスパネル１５はその下端部両面に設けたシリコン等のシール部材１６、或いは接着剤等によって受け溝１１ｃに強固に固定されている。また、ガラスパネル１５は上框１０、左右の縦框１２，１３にそれぞれ設けた受け溝１０ｃ、１２ｃ、１３ｃと上押縁１０ｂ、左右の縦押縁１２ｂ、１３ｂとによって断面略Ｕ字状に形成され、シール部材１６や接着剤等によって強固に固定されている。
【００１７】
また、障子３の上框１０と下框１１と吊元側の縦框１２は、屋内側から見て上枠５の樹脂上枠５ｂと下枠６の樹脂下枠６ｂと吊元側の縦枠７の樹脂縦枠７ｂとに隠れる隠し框構造とされている。
この隠し框構造において、下框１１及び上框１０と吊元側の縦框１２の見付け方向の幅が小さく且つガラスパネル１５の呑込み量が例えば１５ｍｍと大きくても、シール部材１６によってガラスパネル１５と一体に形成したため框体１４を強固に固定できる。そのため、障子３が強風等を受けた場合にも框体１４が歪むことをガラスパネル１５で防止できる。
【００１８】
また、障子３の戸先側の縦框１３は縦枠８から見付け方向に所定幅突出しており、この縦框１３には内部にグレモン錠２０が錠機構として取り付けられている。図１及び図３に示すように、グレモン錠２０は戸先側の縦框１３内の長手方向中間部に設置されたグレモン錠本体部２１と、グレモン錠本体部２１の上下方向に延びていて上下に進退可能な施錠用のロッド２２と、グレモン錠本体部２１の屋内側に装着されたハンドル２３とを備えている。ハンドル２３を回転操作することでグレモン錠本体部２１の上下両側でロッド２２を上下方向に動作させることができる。
【００１９】
一方、上枠５と下枠６には戸先側縦框１３の上下のロッド２２を係合離脱させる受け部２５がそれぞれ設置されている。これらの受け部２５について、図４及び図５に示す下枠６に設けた受け部２５によって説明する。下枠６に設けた受け部２５は金属下枠６ａにおけるロッド２２に対向する位置に設置されている。受け部２５は例えば平板を屈曲して形成し、金属下枠６ａから上方に離間させた中央の突出部２６とその両側に屈曲して形成されていて金属下枠６ａに当接する基部２７とを備え、基部２７でネジ２８等によって金属下枠６ａに固定されている。
【００２０】
受け部２５は、ロッド２２の先端が嵌合して係合し且つ離脱可能な係合溝２６ａ(係合部)が突出部２６に形成されている。係合溝２６ａの形状は任意に形成できるが、見込み方向(屋内外方向)の対向する仕切り辺から内部に折り曲げて湾曲させた舌片２６ｂを設けることでロッド２２の係脱操作を容易にすることができる。また、突出部２６の見込み方向の両側部に係合溝２６ａに連通する開口２９が形成されている。なお、開口２９は少なくとも一方の側部、好ましくは屋外側に形成されていればよい。これによって、受け部２５の係合溝２６ａ内に雨水等が溜まったとしても開口２９から下枠６の金属下枠６ａを通して屋外側に排出できる。
この受け部２５は上枠５にも設けられているが、上枠５に設けた受け部２５はロッド２２の係脱操作を行えればよく、係合溝２６ａに雨水等はたまらないので側部の開口２９はなくてもよい。
【００２１】
また、障子３において、戸先側縦框１３の下端部には受け部２５より大きな形状を有する切欠部３１が逃げ部として形成されている。障子３を閉鎖させた際に下枠６に設けた受け部２５を縦框１３と干渉させることなく切欠部３１内に挿入させることができる。そのため、図５に示すように、受け部２５の突出部２６の上面は切欠部３１の上面（仮想線Ｂで示す）より低く且つ障子３の最下面(仮想線Ｃで示す)より高い位置に設定できる。なお、切欠部３１の形状は略四角形に形成されているが、受け部２５の外周面形状に沿った形状でもよい。
【００２２】
しかも、図３に示すように、戸先側の金属縦框１３ａの屋外側の面は金属下框１１ａの屋外側の面よりも屋外側に突出して位置している。そのため、この点でも障子３を閉鎖する際に下框１１や切欠部３１が受け部２５に当たることはない。
また、図４に示すように、金属縦框１３ａの切欠部３１の屋外側には切欠部３１を覆って屋外側から受け部２５が見えないようにした閉塞部３２が形成されている。
上述した受け部２５、切欠部３１、閉塞部３２は金属上枠５ａと金属縦框１３ａの上部にも形成されている。
【００２３】
特に本実施形態によるドア１は障子３の上框１０と下框１１と吊元側の縦框１２が隠し框構造を有しているため、上框１０と下框１１と縦框１２は見付け方向の幅が狭く、屋内側から見た際に扉部の上框１０と下框１１と縦框１２が見えない。一方で、上框１０と下框１１と縦框１２によるガラスパネル１５の呑込み量が例えば１５ｍｍと相対的に大きいため、上框１０及び下框１１とガラスパネル１５との保持強度を確保するために、上框１０と下框１１の見付け方向の幅を、障子３の閉鎖時に受け部２５を逃げるように更に小幅に形成することができない。
そこで、本実施形態では障子３の戸先側の縦框１３の上下端部に切欠部３１を形成することで上框１０と下框１１の幅の大きさを確保して閉鎖時の干渉を防ぎ、障子３の框体１４の保持強度と障子３の良好な開閉操作性を確保した。
【００２４】
本実施形態によるドア１は上述した構成を備えているから、グレモン錠２０のロッド２２を係脱する受け部２５を下枠６と上枠５上に固定し、しかも見込み方向の側部に係合溝２６ａに連通する開口２９を形成したため、下枠６の金属下枠６ａに設けた受け部２５の係合溝２６ａ内に雨水等が流入したとしても開口２９を通して屋外側に排出できる。
しかも、障子３の縦框１３の上下端部に受け部２５を嵌合可能な切欠部３１を形成したため、下枠６及び縦框１３の下端部の間の隙間と上枠５及び縦框１３の上端部との間の隙間とを小さくして障子３を開閉操作できて、隙間を通した外気の流入を抑制できる。更に、切欠部３１の屋外側に閉塞部３２を設けたことでこの点でも外気の流通を抑制できる上に受け部２５や切欠部３１が外部から見えないので意匠性を向上できる。
【００２５】
また、ドア１の障子３の上框１０及び下框１１及び吊元側の縦框１２を、屋内側から見て上枠５及び下枠６及び縦枠７にそれぞれ隠れる隠し框構造としても、受け部２５を逃げるように上框１０及び下框１１の上下方向の幅をより狭める必要がなく、障子３の框体１４の保持強度をガラスパネル１５とシール部材１６によって確保して障子３の耐風圧強度を得られる。
【００２６】
なお、本発明によるドア１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００２７】
上述した実施形態では上枠５上にも受け部２５を設けたが、上枠５の受け部２５は上枠５内に埋設してもよい。
また、障子３の縦框１３に受け部２５を受け入れる切欠部３１を設けたが、下框１１、上框１０に切欠部３１と閉塞部３２を形成してもよい。いずれにしても下枠６と上枠５に設けた受け部２５に対向する障子３の下端部に切欠部３１と閉塞部３２を形成すればよい。
【００２８】
また、上述した実施形態では受け部２５に対して障子３の吊先側の縦框１３に切欠部３１と閉塞部３２を設けたが、これに代えて縦框１３を含む障子３の下端部を受け部２５に干渉しない程度の短い寸法に設定してもよい。この場合、障子３の下端部が逃げ部に相当する。或いは、受け部２５を下枠６の金属下枠６ａの上面に設置することなく、下面側に設置して下枠６にロッド２２の貫通孔を形成してもよい。
また、上述した実施形態では、障子３の上框１０及び下框１１及び吊元側の縦框１２が屋内側から見て上枠５、下枠６、縦枠７に隠れる隠し框構造とされている。しかし、本発明によるドア１は隠し框構造でなくてもよいし、いずれか一部の框部のみが枠体に隠れるようにしてもよい。
【００２９】
なお、本発明の実施形態ではドア１について説明したが、本発明はこのようなドア１に限定されることなく縦辷り出し窓や横辷り出し窓等の各種の建具にも適用できる。
本発明の実施形態ではドア１をアルミ等の金属部材と合成樹脂からなる複合建具としたが、金属部材からなる建具や樹脂部材からなる建具にも適用できる。
【符号の説明】
【００３０】
１  ドア
２  枠体
３  障子
６  下枠
６ａ  金属下枠
１１  下框
１２，１３  縦框
１５  ガラスパネル
２０  グレモン錠
２１  グレモン錠本体部
２２  ロッド
２３  ハンドル
２５  受け部
２６ａ  係合溝
２９  開口
３１  切欠部
３２  閉塞部
【図１】
0006666184.tif 000002
【図２】
0006666184.tif 000003
【図３】
0006666184.tif 000004
【図４】
0006666184.tif 000005
【図５】
0006666184.tif 000006
【図６】
0006666184.tif 000007